【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
符号化された画像を復号するための電子デバイスであって、
前記符号化された画像からシーケンス・パラメータセット（ＳＰＳ）及びスライスヘッダを復号するための復号ユニットと、
長期参照ピクチャの１つを利用するかどうかを決定する決定ユニットと、を備え、
前記ＳＰＳは、
（ａ）インター予測のために１つ以上の長期参照ピクチャを利用すべきかどうかを指示する、長期参照ピクチャ・インジケータと、
（ｂ）パラメータセットにおいて指定される前記長期参照ピクチャの数と、
（ｃ）前記長期参照ピクチャの１つに対応するピクチャオーダーカウント（ＰＯＣ）の１つ以上の最下位ビット（ＬＳＢ）値と、
（ｄ）長期参照ピクチャを利用すべきかどうかを指示する現ピクチャ使用ＳＰＳフラグと、を含み、
前記スライスヘッダは、
（ｅ）現ピクチャの長期参照ピクチャセットに含まれるべき前記長期参照ピクチャの数と、
（ｆ）アクティブシーケンス・パラメータセットにおいて指定される、前記現ピクチャの前記長期参照ピクチャセットに対応する１つ以上の長期参照インデックスパラメータと、
（ｇ）前記現ピクチャの長期参照ピクチャを利用すべきかどうかを指示する１つ以上の現ピクチャ使用フラグと、を含み、
前記決定ユニットは、前記現ピクチャ使用ＳＰＳフラグ及び前記現ピクチャ使用フラグに基づいて前記長期参照ピクチャの１つを利用するかどうかを決定することを特徴とする、電子デバイス。
【請求項２】
前記長期参照ピクチャセットは、ＳＰＳ、ＡＰＳ、ＰＰＳ、およびＶＰＳの群のうちの少なくとも１つに含まれる、請求項１に記載の電子デバイス。
【請求項３】
前記長期インデックスパラメータは、
（ａ）前記長期参照ピクチャに対応する前記ＰＯＣの前記ＬＳＢ値と、
（ｂ）前記ＰＯＣの前記ＬＳＢ値に関連する前記長期参照ピクチャを利用すべきかどうかを指示する前記現ピクチャ使用フラグと
を含む、請求項１に記載の電子デバイス。
【請求項４】
必要に応じて前記第１の長期インデックスパラメータまたは前記第２の長期インデックスパラメータにより指示される前記長期参照ピクチャに対応する前記絶対ＰＯＣのデルタＭＳＢサイクルを復号するためのユニットをさらに含む、請求項１に記載の電子デバイス。
【請求項５】
前記絶対ＰＯＣの前記デルタＭＳＢサイクルは、前記長期参照ピクチャの前記絶対ＰＯＣのＬＳＢ値が同じであるときに復号される、請求項４に記載の電子デバイス。
【請求項６】
前記絶対ＰＯＣの前記デルタＭＳＢサイクルは、前記スライスヘッダに含まれる、請求項４に記載の電子デバイス。
【請求項７】
前記第１の長期インデックスパラメータは、ｌｏｎｇ＿ｔｅｒｍ＿ｉｄｘ＿ｓｐｓ［ｉ］である、請求項１に記載の電子デバイス。
【請求項８】
前記長期参照ピクチャを利用すべきものと判定された場合に、前記長期参照ピクチャに基づいて前記現ピクチャを復号するためのユニットをさらに含む、請求項１に記載の電子デバイス。
【請求項９】
前記長期参照ピクチャを利用すべきでないものと判定された場合に、前記長期参照ピクチャを用いずに前記現ピクチャを復号するためのユニットをさらに含む、請求項１に記載の電子デバイス。
【請求項１０】
前記現ピクチャ使用フラグは、前記現ピクチャを復号する際に前記絶対ＰＯＣにより指示されるｉ番目の長期参照ピクチャを利用すべきかどうかを指定するｕｓｅｄ＿ｂｙ＿ｃｕｒｒ＿ｐｉｃ＿ｌｔ＿ｓｐｓ＿ｆｌａｇ［ｉ］である、請求項１に記載の電子デバイス。
【請求項１１】
前記長期参照ピクチャ・インジケータは、長期参照ピクチャ存在フラグである、請求項１に記載の電子デバイス。
【請求項１２】
入力画像を符号化するための電子デバイスであって、
シーケンス・パラメータセット（ＳＰＳ）及びスライスヘッダを生成するための生成ユニットと、
長期参照ピクチャセットを符号化するための符号化ユニットと、を備え、
前記ＳＰＳは、
（ａ）インター予測のために１つ以上の長期参照ピクチャを利用すべきかどうかを指示する長期参照ピクチャ・インジケータと、
（ｂ）パラメータセットにおいて指定される前記長期参照ピクチャの数と、
（ｃ）前記長期参照ピクチャの１つに対応する絶対ピクチャオーダーカウント（ＰＯＣ）の１つ以上の最下位ビット（ＬＳＢ）値と、
（ｄ）長期参照ピクチャを利用すべきかどうかを指示する現ピクチャ使用ＳＰＳフラグと、を含み、
前記スライスヘッダは、
（ｅ）現ピクチャの長期参照ピクチャセットに含まれるべき前記長期参照ピクチャの数と、
（ｆ）アクティブシーケンス・パラメータセットにおいて指定される、前記現ピクチャの前記長期参照ピクチャセットに対応する１つ以上の長期参照インデックスパラメータと、
（ｇ）前記現ピクチャの長期参照ピクチャを利用すべきかどうかを指示する１つ以上の現ピクチャ使用フラグと、
を含む、電子デバイス。
【請求項１３】
前記長期参照ピクチャセットは、シーケンス・パラメータセット（ＳＰＳ）、適応パラメータセット（ＡＰＳ）、ピクチャパラメータセット（ＰＰＳ）、およびビデオパラメータセット（ＶＰＳ）の群のうちの少なくとも１つに含まれる、請求項１２に記載の電子デバイス。
【請求項１４】
符号化された画像を電子デバイスにより復号するための方法であって、
前記符号化された画像からシーケンス・パラメータセット（ＳＰＳ）及びスライスヘッダを復号する復号ステップと、
長期参照ピクチャの１つを利用するかどうかを決定する決定ステップと、を備え、
前記ＳＰＳは、
（ａ）インター予測のために１つ以上の長期参照ピクチャを利用すべきかどうかを指示する長期参照ピクチャ・インジケータと、
（ｂ）パラメータセットにおいて指定される前記長期参照ピクチャの数と、
（ｃ）前記長期参照ピクチャの１つに対応するＰＯＣの１つ以上のＬＳＢ値と、
（ｄ）前記長期参照ピクチャを利用すべきかどうかを指示する１つ以上の現ピクチャ使用ＳＰＳフラグと、を含み、
前記スライスヘッダは、
（ｅ）現ピクチャの長期参照ピクチャセットに含まれるべき前記長期参照ピクチャの数と、
（ｆ）アクティブシーケンス・パラメータセットにおいて指定される、前記現ピクチャの前記長期参照ピクチャセットに対応する１つ以上の長期参照インデックスパラメータと、
（ｇ）前記現ピクチャの長期参照ピクチャを利用すべきかどうかを指示する１つ以上の現ピクチャ使用フラグと、を含み、
前記決定ユニットは、前記現ピクチャ使用ＳＰＳフラグ及び前記現ピクチャ使用フラグに基づいて前記長期参照ピクチャの１つを利用するかどうかを決定することを特徴とする、方法。
【請求項１５】
電子デバイスにより入力画像を符号化するための方法であって、
シーケンス・パラメータセット（ＳＰＳ）及びスライスヘッダを生成する生成ステップと、
長期参照ピクチャセットを符号化するための符号化ステップと、を備え、
前記ＳＰＳは、
（ａ）インター予測のために１つ以上の長期参照ピクチャを利用すべきかどうかを指示する長期参照ピクチャ・インジケータと、
（ｂ）パラメータセットにおいて指定される前記長期参照ピクチャの数と、
（ｃ）前記長期参照ピクチャの１つに対応する絶対ピクチャオーダーカウント（ＰＯＣ）の１つ以上の最下位ビット（ＬＳＢ）値と、
（ｄ）長期参照ピクチャを利用すべきかどうかを指示する現ピクチャ使用ＳＰＳフラグと、を含み、
前記スライスヘッダは、
（ｅ）現ピクチャの長期参照ピクチャセットに含まれるべき前記長期参照ピクチャの数と、
（ｆ）アクティブシーケンス・パラメータセットにおいて指定される、前記現ピクチャの前記長期参照ピクチャセットに対応する１つ以上の長期参照インデックスパラメータと、
（ｇ）前記現ピクチャの長期参照ピクチャを利用すべきかどうかを指示する１つ以上の現ピクチャ使用フラグと、
を含む、方法。